(57)【特許請求の範囲】
【請求項１】
電気装置の框体に設けられたグリル手段と、当該グリル手段の内側に取り付けられた送風ファンと、により構成された電気装置における冷却装置であって、
前記送風ファンは、モータにより回転するハブと、当該ハブの周りに取り付けられた複数のブレードと、前記ハブと前記複数のブレードの上に装着されて前記ハブを回転可能に支持する支持部材と、を有し、
前記グリル手段は、複数の平行かつ直線状の細長いスロットの複数の組により形成され、各組のスロットの夫々は、その長さ方向が前記ハブの半径方向と垂直な方向に延びるように配置されると共にその長さが中心側から外側に向って次第に減少し、
前記グリル手段における前記複数の組のスロット間を仕切る部材が、前記送風ファンの支持部材を構成する中央部から外側に向う複数の支柱部材に整合する、ように形成されたことを特徴とする冷却装置。
【発明の詳細な説明】
【０００１】
【産業上の利用分野】
本発明は電気装置（電子装置を含む）などの装置を収容するための框体に関する。
【０００２】
【従来の技術】
電気装置はしばしばその動作中に熱を発生する。この熱は当該装置の温度を上昇させ、そのため、装置に動作上の問題あるいは故障を来たす。それゆえ、そのような装置を冷却する冷却手段を与えることが望ましい。
【０００３】
電気装置の框体内に送風ファンを配置することが知られているが、このようなファンは框体部材に設けたグリルからその外部へ空気を吹き出すように配置されている。このようにすると、框体の開口からおよび／または別のグリルから框体中に引き込まれた空気流が電気装置の上を流れることにより、電気装置を冷却する。ファンによりグリルから外部に向けて吹き出される空気はグリルを通過する際に雑音を発生する傾向がある。オフィスあるいは銀行のような金融機関等の内部に電気装置を収容する框体が位置しているときは、グリルから外に吹き出す空気が発生する上記の雑音のみならず、発生する雑音はすべて最小限に抑制することが望ましい。
【０００４】
冷却ファンの配置と装着に関わるもう一つの問題は、高速回転するファンブレードに人間が接触することによる怪我の発生を防止し、あるいは最小限に抑制するようにしなければならないことである。この目的から、ファングリルは適当な強度をもつと同時に、人の指などが回転ブレードに接触する危険等を防止ないし低減する構造にすることが望ましい。
【０００５】
【発明が解決しようとする課題】
従って、本発明の課題は、電気装置を収容する框体であって、適切な強度をもちながら雑音レベルが低いレベルで当該装置を冷却することができるようにされた框体を与えることである。
【０００６】
【課題を解決するための手段】
上記課題に鑑み、本発明は、電気装置の框体に設けられたグリル手段と、当該グリル手段の内側に取り付けられた送風ファンと、により構成された電気装置における冷却装置であって、前記送風ファンは、モータにより回転するハブと、当該ハブの周りに取り付けられた複数のブレードと、前記ハブと前記複数のブレードの上に装着されて前記ハブを回転可能に支持する支持部材と、を有し、前記グリル手段は、複数の平行かつ直線状の細長いスロットの複数の組により形成され、各組のスロットの夫々は、その長さ方向が前記ハブの半径方向と垂直な方向に延びるように配置されると共にその長さが中心側から外側に向って次第に減少し、前記グリル手段における前記複数の組のスロット間を仕切る部材が、前記送風ファンの支持部材を構成する中央部から外側に向う複数の支柱部材に整合する、ように形成されたことを特徴とする冷却装置を提供するものである。
【０００７】
本発明による框体は上記特許請求の範囲に記載の複数スロットを設けたことにより、短い、幅広の、密な間隔に離隔されたスロットからなるパターンを実現することを可能にし、その結果、容易に空気流を起こすので、雑音の低減が図れることを評価されたい。
【０００８】
本発明のその他の利点および特徴は、前記特許請求の範囲と、添付の図面を参照しつつ述べる以下の説明とから、当業者に明らかとなろう。
【０００９】
【実施例】
参照する図１には、点線の略線で示す電気装置１４を収容するキャビネット１２の形式の框体を含んだ装置１０が示されている。キャビネット１２は金属材料で作られ、第一壁１６と、第一壁１６に対向する第二壁（図示してなし）とを含む。キャビネット１２は、把手２２を具え、キャビネット１２により支持される蝶番（図示してなし）で装着されたアクセスドア２０を含む第三壁を有する。
【００１０】
本発明の好ましい実施例では、電気装置１４はＡＴＭ（自動出納装置）である。この実施例では、キャビネット１２は通常、銀行等の金融機関の壁もしくは窓内に配置されており、電気装置１４への顧客のアクセスは、アクセスドア２０を含む壁１８と反対側のキャビネット壁の凹所領域（図示してなし）を介して行なわれる。
【００１１】
電気装置１４は、動作中に熱を発生する性質があることに注意されたい。加熱を防止し、電気装置１４に起こりうる故障を防止するため、キャビネット１２内に、ドア２０の上方に設けたグリル２４に隣接させて、冷却ファンモジュール３０（図１には図示してなし）が装着される。ファンモジュール３０はグリル２４から外方へ空気を吹き出す。別のグリル（図示してなし）をドア２０の下方位置に設けてキャビネット中に空気を引き込むこともできる。必要であれば、キャビネット１２中に空気を引き込む補助とするため、別のグリルに隣接させてキャビネット１２内にもう一つのファン（図示してなし）を配置することができる。キャビネット１２中に引き込まれた空気は装置１４の上方を通過して、装置１４を冷却し、グリル２４から出る。一実施例ではファンモジュールは１２０m3／時の空気を供給し、１９００回転／分で回転する。
【００１２】
グリル２４を有するアクセスドア２０を含むキャビネット１２の背面部分は、通常、金融機関のロビーあるいはオフィス環境内に配置されている。それゆえ、キャビネット１２内で発生する雑音を除去ないし低減することが望ましい。そのような雑音に寄与する一つの要因は、グリル２４から外方へ吹き出される空気に起因する雑音である。
【００１３】
ここで図２、３、４、および５を参照してグリル２４および関連のファンモジュール３０をさらに詳細に説明する。ファンモジュール３０はプラスチック材料で構成することが好ましく、支持ユニット３２とブレードユニット３４とを含む。３２支持ユニット３２は、円筒形部分４０でつながれた中央の切り込み部分をもつ離隔された第一および第二支持板３６、３８を含むことにより、円筒形開口４２を形成し、この開口内にファンモジュール３０のブレードユニット３４が装着され、回転する。
ブレードユニット３４はモーター（図示してなし）により駆動され、回転可能に装着されたハブ部材４４を含む。このモーターは支持板３８の円形中央部４６により支持される。支持板３８の中央部４６は四つの支柱４８、５０、５２および５４により支持される。これらの支柱は支持板３８の中央部４６と外側部分との間に延びる。支柱４８、５０、５２および５４は中央部４６に対して接線方向に（すなわち半径方向と垂直に）延びる。
【００１４】
ブレードユニット３４には複数のブレード５６、５８、６０、６２、６４、６６および６８が設けられる。好ましい実施例では、ブレードユニット３４は７枚のブレードを有する。しかしながらこれに限られることはなく、ブレード数は７以上でも以下でもよい。
【００１５】
ファンモジュール３０は支柱７０、７２、７４および７６によってキャビネットドア２０の内側に固定される。これらの支柱は、支持板３８（図５）に設けた穴８２、８４、８６、および８８と一対のスペーサー板８０（図２および３）に設けた穴（図示してなし）を通過し、ナット７４Ａ、７６Ａ（図２）のようなナットで固定される。支柱７０-７６の外側の端はドア２０の外側表面と同一平面上にあり、そのためキャビネット１２の外側からは実質上見えない。スペーサー板８０は真鍮、プラスチック材料その他の適当な材料で形成することができる。
【００１６】
ここで図４を参照すると、ドア２０（図１）に形成されたグリル２４の正面図が示されている。グリル２４は四組のスロット（９０、９２、９４、および９６）を含む。各組のスロットは四つの細長い平行なスロットからなる。従って、組９０は平行なスロット１０２、１０４、１０６および１０８を含み、組９２は平行なスロット１１２、１１４、１１６および１１８を含む。組９４は平行なスロット１２２、１２４、１２６および１２８を含む。組９６は平行なスロット１３２、１３４、１３６および１３８を含む。上に述べた実施例では各組９０-９６は四つのスロットをもつが、各組のスロットの数はそれ以上でも以下でもよい。
【００１７】
例えば組９０のような各組のスロットはすべて、当該スロットを通過するハブ４４（および支持板３８の中央部４６）の半径方向と垂直であるように配置されることに注目されたい。このようにすると、例えば組９０のスロットは、図４の半径方向の矢印１８０と垂直に配置される。また、各組のスロットの長さは各組の最も内側のスロットから外側のスロットに向けて次第に減少することに注意されたい。従って例えば組９０では最も内側のスロット１０２は隣接するスロット１０４よりも長く、スロット１０４はスロット１０６よりも長く、スロット１０６は最も外側のスロット１０８よりも長い。この構成により、スロットはブレードユニット３４のブレード５６-６８が回転する面積をほぼ覆うが、その面積を実質的に超えることはない。
【００１８】
単一方向（すなわち鉛直方向）に平行なただ一組のスロットがグリルの全面積を覆うようにしたスロット配置に比較して、スロット１０２-１０８、１１２-１１８、１２２-１２８および１３２-１３８はすべて、相対的に短いことに注意されたい。スロットが短くなるというこの特徴は、スロットの幅を比較的に狭くすることを可能にする一方、安全性の条件に適合するするようにグリル２４の適切な強度を維持することを可能にする利点があり、しかも空気流に対する抵抗が僅かである。空気流に対する抵抗が僅かであることは、スロットを通過する空気流による雑音の低減を助長する、と言う利点がある。
【００１９】
図４に示すグリル２４のもう一つの特徴は、隣接するスロット間の部材が図４で見られるように支柱４８、５０、５２、５４と整合していることである。このため、組９０と９２との間の部材は支柱５０と整合している。組９２-９４間の材料は支柱５２と整合している、等々である。この特徴は、グリッド面積全体をただ一組の平行なスロットで覆う配列に比較して空気流の抵抗をさらに低減するのに有利である。ただ一組のスロットを使うときの支柱は、スロットを通過する空気流の妨げになろう。従って本発明の特徴は空気流に起因する雑音をさらに低減し、また本構造体の見栄えをよくする。なぜならば、キャビネット１２の外側からは支柱が直接に見えないからである。
【００２０】
グリル２４のさらに別の特徴は、グリルの中央部が実質上、支持板３８の円形中央部４６と整合していることである。これはさらに、本框体の見栄えをよくする。なぜならば、中央支持板部分４６がキャビネット１２の外側から直接に見えないからである。
【００２１】
グリル２４のもう一つの利点は、細長いスロットがすべて直線状であるので、曲線形状のスロットを穴開けする設備ための経費と比較して、簡単な道具を使ってドア２０材料にスロット開けできる。一つの実施例では、キャビネット１２の材料は１.２５mmの厚さがあり、スロットの幅は７.５mmであり、一組の隣接スロット間の間隔は３.５mmであり、一対のスペーサー板８０の全厚さは５mmである。  上記実施例の設計変更は可能である。例えばファンモジュール３０は図１に示すドア上にではなくキャビネット１２内の別の位置に装着することができる。例えば、グリル２４に対応するグリルを具えたファンモジュールを、壁１６（図１）のような側壁の一方に装着することができる。さらにまた本発明はＡＴＭと同様に他の型の装置にも適用できる。例えばパーソナルコンピューターのコンソールユニットにファンモジュールと、グリル２４に相当する関連グリルとを設けることができよう。
【００２２】
【発明の効果】
以上に説明したように、本発明による框体は上記特許請求の範囲に記載の複数スロットを設けたことにより、短い、幅広の、密な間隔に離隔されたパターンにスロットを配置するので、容易に空気流を起こすことができ、その結果、框体内部の電気装置を有効に冷却することができる。
【００２３】
このような冷却構造は延いては、ファンから発生する雑音を最小限に抑制することができる。
【００２４】
さらに、本発明の框体に設けたファングリルは、適当な強度をもつと同時に、人が高速回転する回転ファンブレードに接触することによる危険等を防止ないし低減する構造であるため、人間が怪我をする危険性が少ない。
【図面の簡単な説明】
【図１】  一部切り取ったキャビネット構造体の内部に収容された装置の斜視図である。
【図２】  図１のキャビネットの内側表面上に装着したファンモジュールの端面図である。
【図３】  図２のファンモジュールの中央側面図で、一部を断面としたときの図である。
【図４】  ファンモジュールに隣接するキャビネット面に設けたグリルの外見図である。
【図５】  図２の矢印５-５の方向に見たときのファンモジュールの平面図である。
【図６】  図２の矢印６-６の方向に見たときのファンモジュールの平面図である。
【符号の説明】
１０  装置
１２  キャビネット（框体）
１４  電気装置（ＡＴＭ）
１６  第一壁
１８  壁
２０  アクセスドア
２２  把手
２４  グリル
３０  ファンモジュール
３２  支持ユニット
３４  ブレードユニット
３６、３８  支持板
【図１】
0003734182.tif 000002
【図２】
0003734182.tif 000003
【図３】
0003734182.tif 000004
【図４】
0003734182.tif 000005
【図５】
0003734182.tif 000006
【図６】
0003734182.tif 000007